(57)【特許請求の範囲】
【請求項１】
情報端末と有線回線で接続され、データベースにコンテンツを保持するコンテンツセンタにおいて、
前記情報端末と無線リンク接続する無線通信部を備え、
前記有線回線を介して前記情報端末から充電時間情報を受信したとき、前記有線回線における前記情報端末との間の通信速度を計測して、前記充電時間情報と前記通信速度とに基づいて前記情報端末の充電時間未満のコンテンツを前記データベースから選択し、前記有線回線を介して選択したコンテンツを前記情報端末に送信し、
前記コンテンツを前記情報端末に送信中に、前記情報端末から前記無線リンクを介して終了通知を受信したとき、前記情報端末への前記コンテンツ送信を終了することを特徴とするコンテンツセンタ。
【請求項２】
請求項１に記載のコンテンツセンタであって、
さらに、情報端末のユーザの好み情報を保持するユーザ情報部を備え、
前記充電時間情報と前記通信速度と前記情報端末のユーザの好みとに基づいてコンテンツを前記データベースから選択することを特徴とするコンテンツセンタ。
【請求項３】
請求項１に記載のコンテンツセンタであって、
前記コンテンツを前記情報端末に送信中に、前記有線回線における前記情報端末との間の通信速度を再度計測して、コンテンツの内容を更新することを特徴とするコンテンツセンタ。
【発明の詳細な説明】
【技術分野】
【０００１】
本発明は、コンテンツ配信システム、コンテンツセンタおよび情報端末に係り、情報端末または周辺機器の充電時に、安価な固定系通信網を使用して情報端末に書き込むコンテンツ配信システム、コンテンツセンタおよび情報端末に関する。
【背景技術】
【０００２】
特許文献１は、携帯情報端末に充電器が接続されたか否かを検出する機能を備え、充電器が接続されたとき、端末内部のスイッチを切り替えて、有線モデムにて通信する技術を開示している。
また、特許文献２は、携帯情報端末が充電を開始したとき、コンテンツサーバから無線通信を使用してデータダウンロードを行なう技術を開示している。
特許文献３では、宅内に携帯情報端末が有る時には、固定系通信としての電力線通信と宅内無線アクセスポイントを使用して、固定系通信を行なう。
【先行技術文献】
【特許文献】
【０００３】
【特許文献１】特開２００２−２９１０３４号公報
【特許文献２】特開２００２−１１１５７３号公報
【特許文献３】特開２００３−２２９７９０号公報
【発明の概要】
【発明が解決しようとする課題】
【０００４】
特許文献１のように、携帯情報端末の充電時に固定系通信網を使用してデータダウンロードを行なうような発明においては、充電中にダウンロードし切れなかったデータについては、無線系通信網を使用してダウンロードを継続すると想定される。しかし、携帯情報端末の高機能化により、取り扱うデータのサイズは大容量になる傾向がある。したがって、無線系通信網を使用すると、有限の無線リソースを食いつぶすことになる。そこで、固定系通信網を使用した通信で完結する工夫が必要になる。
【０００５】
特許文献２のように、携帯情報端末の充電時に自動でコンテンツをダウンロードするような発明も有る。しかし、この発明についても、無線系通信網を使用しており、有限の無線リソースを食いつぶすかつ通信コストが嵩むことになる。したがって、固定系通信網を使用した通信で完結する工夫が必要になる。
【０００６】
また、特許文献３では、宅内に携帯情報端末が有る時には、固定系通信としての電力線通信と宅内無線アクセスポイントを使用して、固定系通信を行なえる。しかし、携帯情報端末がどの程度の時間、固定系通信を使用できるかの判断ができないため、固定系通信網を使用した通信でデータのダウンロードを終わらせるという目的は果たせない。また、携帯情報端末と充電器以外に、電力通信に接続する宅内無線アクセスポイントの機器も必要で、ユーザにとってコスト高ともなる。
【０００７】
本発明は、情報端末をユーザが固定系通信機能付充電装置に接続した際に、ユーザ好みの情報（映像・音楽・広告等）をシステム主導で情報端末にダウンロードしデータを更新させる形態において、充電中に固定系通信網を使用し、充電中にダウンロードを終了させ、無線系通信網を使用させないことを目的とする。
【課題を解決するための手段】
【０００８】
本発明の目的を達成するために、携帯情報端末側には、充電開始時に充電量または充電時間の情報をコンテンツ提供センタ側に送信する機能を持たせる。そしてコンテンツセンタは、それら情報から充電中にデータ更新が完了する程度のデータ量を決定し、そのデータ量の範囲でユーザ好みの情報データを送信する機能を持たせる。
【０００９】
上述した課題は、情報端末とこの情報端末と有線回線で接続されたコンテンツセンタとから構成されたコンテンツ配信システムにおいて、前記情報端末は、充電開始を検知したとき、充電時間情報を生成して、前記有線回線を介して前記コンテンツセンタに送信し、前記コンテンツセンタは、前記充電時間情報を受信したとき、前記有線回線における前記情報端末との間の通信速度を計測して、前記充電時間情報と前記通信速度とに基づいて前記情報端末の充電時間未満のコンテンツを選択し、前記有線回線を介して選択したコンテンツを前記情報端末に送信するコンテンツ配信システムにより、達成できる。
【００１０】
また、情報端末と有線回線で接続され、データベースにコンテンツを保持するコンテンツセンタにおいて、前記有線回線を介して前記情報端末から充電時間情報を受信したとき、前記有線回線における前記情報端末との間の通信速度を計測して、前記充電時間情報と前記通信速度とに基づいて前記情報端末の充電時間未満のコンテンツを前記データベースから選択し、前記有線回線を介して選択したコンテンツを前記情報端末に送信するコンテンツセンタにより、達成できる。
【００１１】
さらに、コンテンツセンタと有線回線で接続された情報端末において、充電開始を検知したとき、充電時間情報を生成して、前記有線回線を介して前記コンテンツセンタに送信し、前記コンテンツセンタから前記有線回線を介して通信速度調査パケットを受信したとき、通信速度応答パケットを生成して、前記有線回線から送信する情報端末により、達成できる。
【発明の効果】
【００１２】
本発明によれば、ユーザは、自分の好みの情報が携帯情報端末内にアップデートされる利便性と、それが安価な固定系通信網を使用することで通信料金を抑えられるコストメリットを享受できる。一方、配信者は、通信されるデータが大容量化する環境において、無線リソースの消費を抑えることができる。
【図面の簡単な説明】
【００１３】
【図１】実施例１および実施例２のコンテンツ配信システムのブロック図である。
【図２Ａ】実施例１のコンテンツ配信システムのシーケンス図（その１）である。
【図２Ｂ】実施例１のコンテンツ配信システムのシーケンス図（その２）である。
【図３Ａ】実施例２のコンテンツ配信システムのシーケンス図（その１）である。
【図３Ｂ】実施例２のコンテンツ配信システムのシーケンス図（その２）である。
【図４】実施例３のコンテンツ配信システムのブロック図である。
【図５Ａ】実施例３のコンテンツ配信システムのシーケンス図（その１）である。
【図５Ｂ】実施例３のコンテンツ配信システムのシーケンス図（その２）である。
【図６Ａ】実施例４のコンテンツ配信システムのシーケンス図（その１）である。
【図６Ｂ】実施例４のコンテンツ配信システムのシーケンス図（その２）である。
【図７】実施例４の通信速度変動の補正を説明する図である。
【図８】実施例４の充電時間変動の補正を説明する図である。
【図９】実施例５のコンテンツ配信システムのシーケンス図である。
【図１０】実施例６のコンテンツ配信システムのシーケンス図である。
【図１１】実施例７のコンテンツ配信システムのブロック図である。
【図１２】実施例７のコンテンツ配信システムのブロック図である。
【図１３】実施例８のコンテンツ配信システムのブロック図である。
【図１４Ａ】実施例８のコンテンツ配信システムのシーケンス図（その１）である。
【図１４Ｂ】実施例８のコンテンツ配信システムのシーケンス図（その２）である。
【発明を実施するための形態】
【００１４】
以下本発明の実施の形態について、実施例を用い図面を参照しながら詳細に説明する。なお、実質同一部位には同じ参照番号を振り、説明は繰り返さない。また、以下の実施例では、携帯電話の充電中に、充電中の携帯電話にデータをダウンロードする実施例を説明する。しかし、充電先は情報端末に限らない。具体的には、電気自動車の駆動用バッテリーへの充電中に、カーナビにデータをダウンロードする等が考えられる。
【実施例１】
【００１５】
図１を参照して、実施例１および実施例２のコンテンツ配信システム５００Ａを説明する。図１において、コンテンツ配信システム５００Ａは、携帯情報端末１０と、携帯情報端末１０の充電器２０と、コンテンツセンタ４０と、固定系通信ネットワーク３０と、無線系通信ネットワーク５０とから構成されている。
【００１６】
携帯情報端末１０は、充電制御回路１０１と、充電池１０２と、有線通信部１０４と、メモリ書込部１０５と、メモリ１０６と、通信切替部１０７と、無線通信部１０８と、アンテナ１０９と、充電量判定部１０３とを設ける。携帯情報端末１０が充電器２０に接続され、充電線２０１から携帯情報端末１０に電力が供給されると、充電制御回路１０１は、充電池１０２への充電を開始する。この充電開始の合図は、充電量判定部１０３と通信切替部１０７に送られる。充電開始の合図を受けた通信切替部１０７は、無線通信部１０８への経路から、有線通信部１０４への経路へ切り替える。また、合図を受けた充電量判定部１０３は、充電池１０２の残量を調べ、見込み充電量を判断する。充電量判定部１０３は、見込み充電量を、有線通信部１０４を通して、コンテンツセンタ４０に送信する。この時、携帯情報端末１０は、無線系通信ネットワーク５０ではなく、安価な固定系通信ネットワーク３０を使用する。
【００１７】
一方、コンテンツセンタ４０は、有線通信部４０１と、データベース４０５と、無線通信部４０６と、データ量判定部４０２と、ユーザ情報部４０４と、送信データ選択部４０３とを設ける。携帯情報端末１０から送られてきた見込み充電量の情報は、データ量判定部４０２に送られる。データ量判定部４０２は、見込み充電量の情報から、携帯情報端末１０に送信するコンテンツのデータ量を決める。このとき、データ量判定部４０２は、ユーザの携帯情報端末１０が充電中の間にコンテンツデータの送信が終わる分のデータ量として決める。ユーザ情報部４０４は、ユーザの好みの分野に関する情報を格納する。これは、ユーザ毎の管理テーブルで構成されている。このユーザの好みの情報と、データ量判定部４０２で判定されたデータ量情報をもとに、送信データ選択部４０３は、ユーザに送信するコンテンツをデータベースから抽出する。抽出されたデータは、有線通信部４０１から、ユーザの携帯情報端末１０に送信される。
【００１８】
コンテンツセンタ４０から送信されたデータは、ユーザの携帯情報端末１０のメモリ書込部１０５を通して、メモリ１０６に格納される。充電時間内で通信完了するデータ量なので、固定系通信網３０を使用した通信のみで、携帯情報端末１０内のデータを書き換えることができる。
【００１９】
実施例１における、充電量から送信データ量を算出する方法について以下に述べる。
携帯情報端末１０内の充電値の使用済容量（つまり充電量）については電池を測定すれば判明する。しかし、充電時間については、その時の端末内の負荷、充電器の仕様などにより一意に決めることは難しい。そこで以下のような方式を採る。この方法に基づいたシーケンス図を図２に示す。
【００２０】
図２において、無線通信状態にある携帯情報端末１０が充電線２０１に接続されると、充電制御回路１０１は、それを検知し充電を開始する（Ｓ１０１）。充電開始とともに、充電制御回路１０１は、充電開始通知を通信切替部１０７と充電量判定部１０３に送る（Ｓ１０２）。充電開始通知を受信した通信切替部１０７は、通信経路を無線通信状態から有線通信状態とすべく、有線通信部１０４との経路に切り替える（Ｓ１０３）。また、充電開始通知を受信した充電量判定部１０３は、充電必要量の調査メッセージを充電制御回路１０１に送信する（Ｓ１０４）。充電制御回路１０１は，充電量応答メッセージを充電量判定部１０３に送信する（Ｓ１０５）。
【００２１】
充電量判定部１０３は、充電量情報（１回目）と、更新可能なメモリ量情報をデータ量判定部４０２に送信する（Ｓ１０６）。データ量判定部４０２は、充電量判定部１０３に通信速度調査パケットを送信する（S１０７）。充電量判定部１０３は、データ量判定部４０２に通信速度調査応答パケットを送信する（S１０８）。
【００２２】
その後、充電を開始して一定時間後（想定としては数秒後）に再び充電量判定部１０３は、充電必要量の調査メッセージを充電制御回路１０１に送信する（Ｓ１０９）。充電制御回路１０１は、充電量応答メッセージを充電量判定部１０３に送信する（Ｓ１１０）。充電量判定部１０３は、充電量情報（２回目）と、更新可能なメモリ量情報をデータ量判定部４０２に送信する（Ｓ１１１）。データ量判定部４０２は、送信データ量上限を判定する（Ｓ１１２）。
【００２３】
ステップ１１２の詳細を以下説明する。データ量判定部４０２は、二つの時点の充電量情報から充電完了までの時間を予測する。その予測された時間から、通信速度も考慮した上で、データ量判定部４０２は、送信するデータ量を決定する。一般に充電値は満充電に近づくと充電スピードが遅くなる傾向だが、この要素は充電時間が延びることになるので、本実施例の目的である充電時間中でデータ送信を終わらせる、ということに対し影響を与えない。したがって、特に考慮しない。また、データのダウンロードが始まれば、データをメモリに書き込むため、携帯情報端末の負荷が増える。これも、充電時間が延びるという作用なので、同じ理由により特に考慮しない。
【００２４】
通信速度については、固定系通信網を使用するので通信中の大きな変動は無いと想定し、以下方法で算出する。携帯情報端末からの１回目の充電量通知を受信したデータ量判定部４０２は、通信速度調査のパケットを送信する。データ量判定部４０２は、そのパケットの応答時間から通信速度を判定する。
以上のデータ量判定部４０２での送信データ量の判定方法の具体的計算方法は、下記となる。
充電速度（ｍＡｈ／秒）
＝{(１回目の充電量情報)-(２回目の充電量情報)}/{(２回目の充電量情報受信時刻)-(１回目の充電量情報受信時刻)}
充電時間（秒）＝（２回目の充電量情報）／（充電速度）
通信速度（ｂｉｔ／秒）＝｛（通信速度調査パケットのｂｉｔ長）／（応答時間）｝／２
送信データ上限量（Ｂｙｔｅ）＝｛（充電時間）×（通信速度）｝／８
しかし、携帯情報端末１０内で、本システムにより更新されるメモリ量の上限が設定される場合も想定される。その場合に対応して、携帯情報端末１０が１回目の充電量を送信する際に、更新可能なメモリ量情報もコンテンツセンタ側に送信することとする。
【００２５】
したがって、データ量判定部４０２が送信データ選択部４０３に送信する情報としては、最終的に下記となる。
更新可能なメモリ量（Ｂｙｔｅ）＞送信データ上限量（Ｂｙｔｅ）：送信データ上限量
更新可能なメモリ量（Ｂｙｔｅ）≦送信データ上限量（Ｂｙｔｅ）：更新可能なメモリ量
図２Ｂに移って、データ量判定部４０２は、送信データ選択部４０３に、送信データ量上限情報または更新可能なメモリ量情報を送信する。送信データ選択部４０３は、ユーザ情報要求をユーザ情報部４０４に送信する。ユーザ情報部４０４は、ユーザ情報応答を送信データ選択部４０３に送信する。送信データ選択部４０３は、受信した送信データ上限量情報または更新可能なメモリ量情報と、ユーザ情報部４０４からのユーザの好みの分野情報を考慮に加え、送信するコンテンツの数・種類を選択する（Ｓ１１７）。
【００２６】
選択されたコンテンツについて、送信データ選択部４０３は、送信データ要求をデータベース４０５に送信する。データベース４０５は、有線通信部４０１を経由して、送信データを、携帯情報端末１０に送信する（Ｓ１１９）。携帯情報端末１０は、有線通信部１０４、通信切替部１０７、メモリ書込部１０５を通して、送信データをメモリ１０６に書き込む（Ｓ１２０）。メモリ１０６は、データの更新を完了する（Ｓ１２１）。通信切替部１０７は、通信経路を有線通信状態から無線通信状態とすべく、無線通信部１０８との経路に切り替える（Ｓ１２２）。そして携帯情報端末１０は、無線通信を選択したアイドル状態に戻る。
【実施例２】
【００２７】
実施例２は、実施例１におけるコンテンツセンタ４０内での充電量から送信データ量を判定する処理を簡略化したものである。処理を簡略化することにより、充電開始からデータ転送までの時間を短くできる。
【００２８】
図３を参照して、簡略化したシーケンスを説明する。図３において、簡略化したコンテンツ配信方法は、充電量に応じた送信コンテンツをあらかじめ設定しておく形態で使用できる。具体的には、電力会社が充電量に応じてサービスとして、ユーザ好みの映像や音楽やＣＭデータを携帯情報端末に送信するような形態が想定される。以下、実施例１と異なる部分のみ説明する。
【００２９】
充電開始時に携帯情報端末１０は、充電量を、コンテンツセンタ４０に送信する（Ｓ２０６）。その情報をもとに、データ量判定部４０２は、あらかじめ設定された情報に基づき送信データ上限量を決定する（Ｓ２１２）。その情報について、データ量判定部４０２は、送信データ選択部４０３に送信する（Ｓ２１３）。
【実施例３】
【００３０】
実施例３では、携帯情報端末が充電量ではなく、充電時間を送る。
図４を参照して、コンテンツ配信システム５００Ｂを説明する。図４において、コンテンツ配信システム５００Ｂは、携帯情報端末１０Ａと、携帯情報端末１０Ａの充電器２０と、コンテンツセンタ４０と、固定系通信ネットワーク３０と、無線系通信ネットワーク５０とから構成されている。
【００３１】
携帯情報端末１０は、充電制御回路１０１と、充電池１０２と、有線通信部１０４と、メモリ書込部１０５と、メモリ１０６と、通信切替部１０７と、無線通信部１０８と、アンテナ１０９と、充電時間判定部１１０とを設ける。
【００３２】
携帯情報端末１０Ａが充電器２０に接続され、充電線２０１から充電制御回路１０１に電力が供給されると、充電制御回路１０１は、充電池１０２への充電を開始する。この充電開始の合図について、充電制御回路１０１は、充電時間判定部１１０と通信切替部１０７に送信する。充電開始の合図を受けた通信切替部１０７は、無線通信部１０８への経路から有線通信部１０４への経路を選択する。また同じ合図を受けた充電時間判定部１１０は、必要な充電量を調べ、充電時間を判定する。判定された充電時間について、充電時間判定部１１０は、有線通信部１０４を通して、コンテンツセンタ４０に送信する。この時、携帯電話端末１０Ａは、安価な固定系通信網３０を使用する。
【００３３】
一方、コンテンツセンタ４０は、有線通信部４０１と、データベース４０５と、無線通信部４０６と、データ量判定部４０２と、ユーザ情報部４０４と、送信データ選択部４０３とを設ける。携帯情報端末１０Ａから送られてきた見込み充電時間の情報は、有線通信部４０１を通してデータ量判定部４０２に送られる。データ量判定部４０２は、見込み充電量の情報から、携帯情報端末１０Ａに送信するコンテンツのデータ量を決める。このとき、データ量判定部４０２は、ユーザの携帯情報端末１０Ａが充電中の間にコンテンツデータの送信が終わる分のデータ量として決める。ユーザ情報部４０４は、ユーザの好みの分野に関する情報が格納されている。このユーザの好みの情報と、データ量判定部４０２で判定されたデータ量情報をもとに、送信データ選択部４０３は、ユーザに送信するコンテンツをデータベースから抽出する。抽出されたデータについて、有線通信部４０１は、携帯情報端末１０Ａに送信する。
【００３４】
コンテンツセンタ４０から送信されたデータについて、携帯情報端末１０Ａのメモリ書込部１０５は、メモリ１０６に格納する。充電時間内で通信完了するデータ量なので、固定系通信網３０を使用した通信のみで、携帯情報端末１０Ａのデータを書き換えることができる。
【００３５】
実施例３における、充電量から送信データ量を算出する方法について以下に述べる。携帯情報端末１０Ａの充電池１０２の使用済容量（つまり充電量）については充電池１０２を測定すれば判明する。しかし、充電時間については、その時の端末内の負荷、充電器の仕様などにより一意に決めることは難しい。そこで以下のような方式を採る。
【００３６】
図５において、携帯情報端末１０Ａが充電線２０１に接続されると、充電制御回路１０１がそれを検知し、充電が開始される（Ｓ１０１）。充電を開始すると充電制御回路１０１は、充電開始通知を通信切替部１０７と充電量判定部１０３に送る（Ｓ１０２）。充電開始通知を受信した通信切替部１０７は、通信経路を有線通信部１０４との経路に切り替える（Ｓ１０３）。また、充電開始通知を受信した充電時間判定部１１０は、充電制御回路１０１に充電量調査を送信する（Ｓ１０４）。充電制御回路１０１は、充電時間判定部１１０に充電量応答を送信する（Ｓ１０５）。その後充電を開始した一定時間後（想定としては数秒後）に、再び充電時間判定部１１０は、充電制御回路１０１に充電量調査を送信する（Ｓ１０９）。充電制御回路１０１は、充電時間判定部１１０に充電量応答を送信する（Ｓ１１０）。充電時間判定部１１０は、２つの時点の充電量情報から充電完了までの時間を予測する（Ｓ３１２）。算出方法例は、以下の式である。
充電速度（ｍＡｈ／秒）＝{(１回目の充電量情報)-(２回目の充電量情報)}/{(２回目の充電量情報受信時刻)-(１回目の充電量情報受信時刻)}
充電時間（秒）＝（２回目の充電量情報）／（充電速度）
その予測された充電時間情報を、充電時間判定部１１０は、コンテンツセンタ４０に送信する（Ｓ３０６）。その予測された時間から、コンテンツセンタ４０は、通信速度も考慮した上で、送信するデータ量を決定する。一般に充電値は満充電に近づくと充電スピードが遅くなる傾向である。しかし、この要素は充電時間が延びることになるので、本実施例の目的である、充電時間中でデータ送信を終わらせる、ということに対し影響を与えない。したがって、特に考慮しない。また、データのダウンロードが始まれば、データをメモリに書き込むため、携帯情報端末の負荷が増える。しかし、これも、充電時間が延びるという作用なので、同じ理由により特に考慮しない。
【００３７】
なお、充電時間判定部１１０は、充電時間情報を送信する際には、更新可能なメモリ量情報も併せて送信する（Ｓ３０６）。この情報を受信したデータ量判定部４０２は、通信速度調査パケットを送信する（Ｓ１０７）。通信速度調査パケットを受信した充電時間判定部１１０は、データ量判定部４０２に通信速度調査応答パケットを送信する（Ｓ１０８）。データ量判定部４０２は、パケットの応答時間から、下記の式により通信速度を判定する。通信速度については、固定系通信網６０を使用するので通信中の大きな変動は無いとの前提である。
通信速度（ｂｉｔ／秒）＝｛（通信速度調査パケットのｂｉｔ長）／（応答時間）｝／２
データ量判定部４０２は、送信データ上限量の判定は以下計算方法で行なう。
送信データ上限量（Ｂｙｔｅ）＝｛（充電時間）×（通信速度）｝／８
しかし、携帯情報端末１０内で、本システムにより更新されるメモリ量の上限が設定される場合も想定される。その場合に対応して、携帯情報端末１０が送信した更新可能なメモリ量情報も考慮して、データ量判定部４０２が送信データ選択部４０３に渡す情報としては、最終的に下記となる。
更新可能なメモリ量（Ｂｙｔｅ）＞送信データ上限量（Ｂｙｔｅ）：送信データ上限量
更新可能なメモリ量（Ｂｙｔｅ）≦送信データ上限量（Ｂｙｔｅ）：更新可能なメモリ量
データ量判定部４０２は、この送信データ上限量情報または更新可能なメモリ量情報を送信データ選択部４０３に送信する（Ｓ１１３）。送信データ選択部４０３は、ユーザ情報部４０４にユーザ情報要求を送信する（Ｓ１１５）。ユーザ情報部４０４は、送信データ選択部４０３にユーザ情報要求応答を送信する（Ｓ１１６）。送信データ選択部４０３は、送信データ上限量情報または更新可能なメモリ量情報と、ユーザ情報部４０４から取得したユーザの好みの分野情報とを考慮に加え、送信するコンテンツの数・種類を選択する（Ｓ１１７）。送信データ選択部４０３は、送信データ要求をデータベース４０５に送信する。
【００３８】
選択されたコンテンツは、データベース４０５から読みだされ、有線通信部４０１を経由して、携帯情報端末１０に送られる（Ｓ１１９）。携帯情報端末１０は、コンテンツを有線通信部１０４、通信切替部１０７、メモリ書込部１０５を通して、メモリ１０６に書き込む（Ｓ１２１）。最終的に、データの更新が完了する（Ｓ１２１）。通信切替部１０７は、通信経路を有線通信状態から無線通信状態とすべく、無線通信部１０８との経路に切り替える（Ｓ１２２）。携帯情報端末１０は、無線通信を選択したアイドル状態に戻る。
【実施例４】
【００３９】
実施例１、実施例３は、固定通信ネットワーク３０の通信速度が一定であることを前提としている。しかし、ベストエフォート型の通信形態では、通信速度が変化する場合も想定される。通信速度の変化により、実施例１、実施例３でのデータ送信開始時の通信速度測定（Ｓ１０７，Ｓ１０８）にて算出した通信速度よりもデータ転送時の通信速度が速い場合は、充電時間中でデータ送信が終わるので、特に考慮しない。しかし、実施例１、実施例３でのデータ送信開始時の通信速度測定にて算出した通信速度よりもデータ転送時の通信速度が遅い場合については、充電時間中にデータ転送が終了しない事態を招くので考慮が必要である。
【００４０】
実施例４は、データ送信期間の途中で再度充電量を調査し、その結果によって、送信データの量を調整する補正の仕組みを入れたものである。
図６を参照して、実施例１において固定通信ネットワークの通信速度が変化した場合に対処するシーケンスを説明する。図６において、充電開始から携帯情報端末１０にデータを送信開始するまでのシーケンスは実施例１と同じである。図６Ａの（ａ）は、図２Ａ、図２Ｂの（ａ）と同一である。データを送信中の期間に、データ量判定部４０２は、充電量再調査依頼を充電量判定部１０３に送信する（Ｓ４２３）。この依頼を送付するタイミングについては、実施例１で最初にデータ量判定部４０２が算出した充電時間の１／Ｎ秒が経過した時とする。Ｎは、システムに応じて任意に設定でき。通信速度調査パケットを常に送信して、送信データ量を常に変化させる方法も考えられる。しかし、通信速度の変化により補正した結果が、次のタイミングでは無駄となってしまう。そこで、送信開始後ある程度時間が経過した時のみ補正したほうが効率的である。
【００４１】
充電量再調査依頼を受信した充電量判定部１０３は、充電制御回路１０１に充電量調査を送信する（Ｓ１０４ａ）。充電制御回路１０１は、充電量判定部１０３に充電量応答を送信する（Ｓ１０５ａ）。充電量判定部１０３は、調査した充電量情報を、更新可能なメモリ情報とともにデータ量判定部４０３に送信する（Ｓ１０６ａ）。データ量判定部４０３は、充電量判定部１０３に通信速度調査パケットを送信する（Ｓ１０７ａ）。充電量判定部１０３は、データ量判定部４０３に通信速度応答パケットを送信する（Ｓ１０８ａ）。充電量判定部１０３は、一定時間経過後再び充電量の調査を行なう（Ｓ１０９ａ，Ｓ１１０ａ）。充電量判定部１０３は、その結果をコンテンツセンタに送信する（Ｓ１１１ａ）。
【００４２】
データ量判定部４０２は、送信データ量上限の再判定を実施し、送信データ上限量情報または更新可能なメモリ量情報のうちどちらを送信データ選択部４０３に送信するか決定する（Ｓ４１２）。データ量判定部４０２は、どちらかの情報を送信データ選択部４０３に送信する（Ｓ１１３ａ）。これを決めるのは実施例１で説明と同様に、
更新可能なメモリ量（Ｂｙｔｅ）＞送信データ上限量（Ｂｙｔｅ）：送信データ上限量
更新可能なメモリ量（Ｂｙｔｅ）≦送信データ上限量（Ｂｙｔｅ）：更新可能なメモリ量
である。
【００４３】
送信データ選択部４０３は、ユーザ情報部４０４にユーザ情報要求を送信する（Ｓ１１５ａ）。ユーザ情報部４０４は、送信データ選択部４０３にユーザ情報応答を送信する（Ｓ１１６ａ）。送信データ選択部４０３は、送信データ上限量または更新可能なメモリ量と、ユーザの好みの分野情報を考慮に加え、送信するコンテンツの数・種類を再選択する（Ｓ４１７）。送信データ選択部４０３は、選択し直されたデータをデータベース４０５に要求する（Ｓ１１８ａ）。データベース４０５は、携帯情報端末１０に送信する（Ｓ１１９ａ〜Ｓ１１９ｎ）。これらは携帯情報端末１０内の有線通信部１０４、通信切替部１０７、メモリ書込部１０５を通してメモリ１０６に書き込まれる（Ｓ１２０ａ〜Ｓ１２０ｎ。全てのデータが書込み終了したら、更新完了である（Ｓ１２１）。通信切替部１０７は、通信経路を有線通信状態から無線通信状態とすべく、無線通信部１０８との経路に切り替える（Ｓ１２２）。携帯情報端末１０は、無線通信を選択したアイドル状態に戻る。
【００４４】
図７および図８を参照して、再選択による補正の概念を説明する。図７において、最初の送信データ選択で送信データ選択部４０３は、（ａ）（ｂ）（ｃ）（ｄ）のデータを選択したとする。コンテンツセンタ４０は、ｔ＝０で送信を開始する。当初予定の通信速度を、破線の傾きで示す。データ選択の条件は、当初予測充電時間ｔ３と当初通信速度である。時刻ｔ２でデータ量判定部４０２が再判定を実施し、実際の通信速度は、ｔ＝０とｔ２を結んだ実線の傾きだと判明した。実際通信速度に拠れば、予定よりもデータ送信に時間を要している。また、ここで当初予定の充電時間に見直しの必要が無かったことも判明する。
【００４５】
データ量判定部４０２は、ｔ３と実際通信速度の傾きから、時刻ｔ２でのデータ量を求め、送信データ選択部４０３に送信する。送信データ選択部４０３は、ファイルサイズの大きいファイル送信が完了していないデータ（ａ）と未送信のデータ（ｂ）を廃棄する。送信データ選択部４０３は、ファイルサイズの小さいデータ（ｃ）（ｄ）に新たなデータ（ｅ）を加えて選択する。これらのファイルは、実際通信速度でデータ送信され、充電時間内にデータ送信が終わる。
【００４６】
図８を参照して、充電速度または充電量の変化に対する補正を説明する。図８において、最初の送信データ選択で送信データ選択部４０３は、（ａ）（ｂ）（ｃ）（ｄ）のデータを選択したとする。コンテンツセンタ４０は、ｔ＝０で送信を開始する。当初予定の通信速度を、破線の傾きで示す。データ選択の条件は、当初予測充電時間ｔ６と当初通信速度である。時刻ｔ４でデータ量判定部４０２が再判定を実施し、実際の通信速度は、予測した通信速度と一致していると判明した。しかし、当初予定の充電時間ｔ６が大幅に短縮され、時刻ｔ５で終了することが判明する。
【００４７】
データ量判定部４０２は、ｔ５と実際通信速度の傾きから、時刻ｔ４でのデータ量を求め、送信データ選択部４０３に送信する。ファイルサイズの大きいファイル送信が完了していないデータ（ｂ）と未送信のデータ（ｄ）を廃棄する。送信データ選択部４０３は、ファイルサイズの小さいデータ（ｃ）に新たなデータ（ｅ）（ｆ）を加えて選択する。これらのファイルは、実際通信速度でデータ送信され、充電時間内にデータ送信が終わる。なお、データ（ａ）は、送信済みである。
【００４８】
なお、図７と図８で説明上、通信速度が変化した場合と充電時間が変化した場合とを分けたが、実施例４に拠れば、双方とも変化した場合にも対応できる。
【実施例５】
【００４９】
実施例５は、ファイル更新中に携帯情報端末１０が充電器２０から離れた場合についての実施例である。実施例５を図９を参照して、説明する。図９は、実施例１を説明する図２をベースとした図である。したがって、図２の送信データ要求のステップ１１８までの説明を省く。
【００５０】
図９において、コンテンツセンタ４０は、初回データを携帯情報端末１０へ送信する（Ｓ１１９１）。また、コンテンツセンタ４０は、２回目データを携帯情報端末１０へ送信する（Ｓ１１９ａ）。この時点で、充電器２０から携帯情報端末１０が外されたとする。充電制御回路１０１は、電力切断を検出する（Ｓ１３０）。充電制御回路１０１は、充電量判定部１０３と通信切替部１０７に電源切断通知を送信する（Ｓ１３１）。通信切替部１０７は、有線通信部１０４から無線接続部１８０に選択先を切替える（Ｓ１３２）。充電量判定部１０３は、メモリ書込部１０５と、無線通信部１０８を介して送信データ選択部４０３にデータ更新終了通知を送信する（Ｓ１３３）。メモリ書込部１０５は、受信途中ファイルを無効化する（Ｓ１３６）。送信データ選択部４０３は、データベース４０５に送信停止要求を送信する（Ｓ１３４）。データベース４０５は、データ送信を停止する（Ｓ１３５）。携帯情報端末１０は、無線通信を選択した状態でアイドル状態となる。
【００５１】
この間、ステップ１３２からステップ１３５の間の送信データは、携帯情報端末１０に届かないことになる。
【実施例６】
【００５２】
実施例６は、ファイル更新中に携帯情報端末１０が充電器２０から離れた場合についての処理方法の別例である。実施例６を図１０を参照して、説明する。図１０は、実施例１を説明する図２をベースとした図である。したがって、図２の送信データ要求のステップ１１８までの説明を省く。
【００５３】
図１０において、コンテンツセンタ４０は、初回データを携帯情報端末１０へ送信する（Ｓ１１９１）。また、コンテンツセンタ４０は、２回目データを携帯情報端末１０へ送信する（Ｓ１１９ａ）。この時点で、充電器２０から携帯情報端末１０が外されたとする。充電制御回路１０１は、電力切断を検出する（Ｓ１３０）。充電制御回路１０１は、充電量判定部１０３と通信切替部１０７に電源切断通知を送信する（Ｓ１３１）。通信切替部１０７は、有線通信部１０４から無線接続部１８０に選択先を切替える（Ｓ１３２）。充電量判定部１０３は、メモリ書込部１０５にデータ更新終了通知を送信する（Ｓ１３３）。メモリ書込部１０５は、受信途中ファイルを無効化する（Ｓ１３６）。
【００５４】
一方、コンテンツセンタ４０は、携帯情報端末１０が充電器２０から外れ、固定通信ネットワーク３０経由で通信できなくなったことを検知できない。このため、データベース４０５は、予定していたファイルを全て送信して、処理を終了する。
【実施例７】
【００５５】
実施例７を図１１および図１２を参照して、説明する。図１１は、実施例１の構成で、通信網として電力線通信網６０を使用する場合の構成である。図１１において、コンテンツ配信システム５００Ｃは、携帯情報端末１０Ｂと、携帯情報端末１０の電力線通信対応充電器７０と、コンテンツセンタ４０Ａと、電力通信ネットワーク６０と、無線系通信ネットワーク５０とから構成されている。
【００５６】
携帯情報端末１０は、充電制御回路１０１と、充電池１０２と、有線通信部１０４と、メモリ書込部１０５と、メモリ１０６と、通信切替部１０７と、無線通信部１０８と、アンテナ１０９と、充電量判定部１０３と、電力／通信分離統合部１１１とを設ける。充電器７０は、電力通信線７０１を備える。
【００５７】
一方、コンテンツセンタ４０Ａは、有線通信部４０１と、データベース４０５と、無線通信部４０６と、データ量判定部４０２と、ユーザ情報部４０４と、送信データ選択部４０３と、電力／通信分離統合部４０９とを設ける。コンテンツセンタ４０Ａは、電力通信ネットワーク６０と電力通信線４０８で接続される。
【００５８】
実施例７では、電力通信線７０１，４０８から通信線と電力線の分離のために、電力／通信分離統合部１１１，４０９を携帯情報端末１０とコンテンツセンタ４０側に置く。それ以外の、充電量情報等のやり取り、処理方法、シーケンスについは実施例１と変わらないので説明を割愛する。
【００５９】
一方、図１２は、実施例３の構成で、通信網として電力線通信網６０を使用する場合の構成である。同様に充電時間情報等のやり取り、処理方法、シーケンスについては実施例３と図７の組み合わせなので説明を割愛する。
【実施例８】
【００６０】
実施例１ないし実施例４において、データの自動更新は、携帯情報端末１０の充電時間内に終わるような仕組みで動いている。しかし、何かの影響により充電時間内にデータの更新が終わらなかった場合を想定して、データ更新未完了で携帯情報端末１０をユーザが充電器２０／７０から外させないようにする実施例を実施例８とする。実施例８では、携帯情報端末１０のランプ１１３を充電中のみでなくデータ更新中にも点灯させ、ユーザに処理が未完了で有ること明示する。
【００６１】
図１３において、コンテンツ配信システム５００Ｅは、携帯情報端末１０と、携帯情報端末１０の充電器２０と、コンテンツセンタ４０と、固定系通信ネットワーク３０と、無線系通信ネットワーク５０とから構成されている。
【００６２】
携帯情報端末１０は、充電制御回路１０１と、充電池１０２と、有線通信部１０４と、メモリ書込部１０５と、メモリ１０６と、通信切替部１０７と、無線通信部１０８と、アンテナ１０９と、充電量判定部１０３と、ランプ制御部１１２と、ランプ１１３とを設ける。ランプ１１３は、充電中状態とデータ通信中状態の時に点灯する。ランプ制御部１１２は、ランプ１１３を制御する。
【００６３】
図１４を参照して、コンテンツ配信システム５００Ｅの処理シーケンスを説明する。図１４は、図２を基本に携帯情報端末１０内のシーケンスを中心に記載している。したがって、図２で説明したステップは、説明を省略する。図１４において、携帯情報端末１０を充電器２０にセットすると、充電制御回路１０１は、充電開始を検知する（Ｓ１０１）。充電制御回路１０１は、充電量判定部１０６と通信切替部１０７とランプ制御部１１２に、充電開始通知を送信する（Ｓ１０２）。ここで、ランプ制御部１１２は、点灯を判断する（Ｓ１５０）。ランプ制御部１１２は、ランプを点灯する（Ｓ１５１）。
【００６４】
コンテンツセンタ４０は、初回送信データを携帯情報端末１０に送信する（Ｓ１１９１）。メモリ書込部１０５は、データの更新を開始する（Ｓ１２０１）。メモリ書込部１０５は、ランプ制御部１１２に対しデータ更新開始通知を送信する（Ｓ１５２）。データ更新開始通知を受信したランプ制御部１１２は、点灯を判断する（Ｓ１５３）。なお、ランプ制御部１１２は、既に充電開始によりランプを点灯させているので、点灯させたままとする。ここで、充電が終了する（Ｓ１５４）。充電制御回路１０１は、充電終了通知をランプ制御部１１２に送信する（Ｓ１５５）。ランプ制御部１１２は、点灯を判断する（Ｓ１５６）。ここで、ランプ制御部１１２は、データ更新完了通知を未受信なことにより、ランプを点灯させたままにする。その後、メモリ１０６でデータ更新が完了する（Ｓ１２１）。メモリ書込部１０５は、データ更新完了通知をランプ制御部１１２に送信する（Ｓ１５７）。ランプ制御部１１２は、点灯を判断する（Ｓ１５８）。この時ランプ制御部１１２は、充電完了且つデータ更新完了なので、ランプを消灯させる（Ｓ１５９）。
【符号の説明】
【００６５】
１０…携帯情報端末、２０…充電器、３０…固定系通信ネットワーク、４０…コンテンツセンタ、５０…無線系通信ネットワーク、６０…電力線通信ネットワーク、７０…電力線通信対応充電器、１０１…充電制御回路、１０２…充電池、１０３…充電量判定部、１０４…有線通信部、１０５…メモリ書込部、１０６…メモリ、１０７…通信切替部、１０８…無線通信部、１０９…アンテナ、１１０…充電時間判定部、１１１…電力／通信分離統合部、１１２…ランプ制御部、１１３…ランプ、２０１…充電線、２０２…通信線、４０１…有線通信部、４０２…データ量判定部、４０３…送信データ選択部、４０４…ユーザ情報部、４０５…データベース、４０６…無線通信部、４０７…コンテンツセンタ側通信線、４０８…電力通信線、４０９…電力／通信分離統合部、５００…コンテンツ配信システム、７０１…電力通信線。
【図１】
0005484238.tif 000002
【図２Ａ】
0005484238.tif 000003
【図２Ｂ】
0005484238.tif 000004
【図３Ａ】
0005484238.tif 000005
【図３Ｂ】
0005484238.tif 000006
【図４】
0005484238.tif 000007
【図５Ａ】
0005484238.tif 000008
【図５Ｂ】
0005484238.tif 000009
【図６Ａ】
0005484238.tif 000010
【図６Ｂ】
0005484238.tif 000011
【図７】
0005484238.tif 000012
【図８】
0005484238.tif 000013
【図９】
0005484238.tif 000014
【図１０】
0005484238.tif 000015
【図１１】
0005484238.tif 000016
【図１２】
0005484238.tif 000017
【図１３】
0005484238.tif 000018
【図１４Ａ】
0005484238.tif 000019
【図１４Ｂ】
0005484238.tif 000020